(57)【要約】【課題】個人情報のセキュリティ性を高めた記憶媒体発行システムを提供する。【解決手段】入力表示装置１０、読取書込装置２０、及びサーバ３０を備えた記憶媒体システム１であって、入力表示装置１０は、ユーザ情報取得部１３で取得されたユーザ情報、及び読取書込装置２０の読取部で読取られたユーザの保有情報のうち、一方の情報を記憶部に記憶する際に、当該記憶部に他方の情報が記憶されている場合には、当該他方の情報を削除した後に、前記一方の情報を記憶部に記憶するデータ記憶制御部を備える。【選択図】図１
2015114738.tif 000002
【特許請求の範囲】
【請求項１】
ユーザ情報を取得するユーザ情報取得部、データを送受信する通信部、及びデータの記憶部を備えた入力表示装置と、
ユーザの保有情報を読取る読取部及び／又はユーザへの付与情報を記憶媒体に書込む書込部、及びデータを送受信する通信部を備えた読取書込装置と、
前記入力表示装置又は前記読取書込装置との間が通信ネットワークを介して接続され、各種情報を記憶するサーバと、
を備えた記憶媒体発行システムであって、
前記入力表示装置は、
前記ユーザ情報取得部で取得されたユーザ情報、及び前記読取書込装置の前記読取部で読取られたユーザの前記保有情報のうち、一方の情報を前記記憶部に記憶する際に、当該記憶部に他方の情報が記憶されている場合には、当該他方の情報を前記記憶部から削除した後に、前記一方の情報を前記記憶部に記憶するデータ記憶制御部を備えること、
を特徴とする記憶媒体発行システム。
【請求項２】
ユーザ情報を取得するユーザ情報取得部、データを送受信する通信部、及びデータの記憶部を備えた入力表示部と、
ユーザの保有情報を読取る読取部及び／又はユーザへの付与情報を記憶媒体に書込む書込部、データの記憶部、及びデータを送受信する通信部を備えた読取書込部と、
を備えた記憶媒体発行装置であって、
前記入力表示部は、
前記ユーザ情報取得部で取得されたユーザ情報、及び前記読取書込部の前記読取部で読取られたユーザの保有情報のうち、一方の情報を前記記憶部に記憶する際に、当該記憶部に他方の情報が記憶されている場合には、当該他方の情報を前記記憶部から削除した後に、前記一方の情報を前記記憶部に記憶するデータ記憶制御部を備えること、
を特徴とする記憶媒体発行装置。
【請求項３】
請求項２に記載の記憶媒体発行装置において、
前記読取書込部は、
前記読取部で読取られたユーザの前記保有情報を前記入力表示部へ送信した後、前記記憶部に記憶した前記保有情報を削除するデータ記憶制御部を備えること、
を特徴とする記憶媒体発行装置。
【請求項４】
請求項２又は３に記載の記憶媒体発行装置において、
前記入力表示部の前記データ記憶制御部は、
ユーザの前記保有情報に関する判定結果を、通信ネットワークを介してサーバから受信した場合に、前記記憶部に記憶した前記保有情報を削除すること、
を特徴とする記憶媒体発行装置。
【請求項５】
ユーザの保有情報を読取る読取部及び／又はユーザへの付与情報を記憶媒体に書込む書込部、及びデータを送受信する通信部を備えた読取書込装置に接続可能な入力表示装置であって、
ユーザ情報を取得するユーザ情報取得部と、
データを送受信する通信部と、
データの記憶部と、
前記ユーザ情報取得部で取得されたユーザ情報、及び前記読取書込装置の前記読取部で読取られたユーザの保有情報のうち、一方の情報を前記記憶部に記憶する際に、当該記憶部に他方の情報が記憶されている場合には、当該他方の情報を前記記憶部から削除した後に、前記一方の情報を前記記憶部に記憶するデータ記憶制御部と、
を備えることを特徴とする入力表示装置。
【請求項６】
請求項５に記載の入力表示装置において、
前記データ記憶制御部は、
ユーザの前記保有情報に関する判定結果を、通信ネットワークを介して接続されたサーバから受信した場合に、前記記憶部に記憶した前記カード情報を削除すること、
を特徴とする入力表示装置。
【請求項７】
ユーザ情報を取得するユーザ情報取得部、データを送受信する通信部、及びデータの記憶部を備えた入力表示装置に接続可能な読取書込装置であって、
ユーザの保有情報を読取る読取部と、
ユーザへの付与情報を記憶媒体に書込む書込部と、
データの記憶部と、
データを送受信する通信部と、
前記ユーザ情報取得部で取得されたユーザ情報を前記入力表示装置へ送信した後、前記記憶部に記憶した前記保有情報を削除するデータ記憶制御部と、
を備えることを特徴とする読取書込装置。
【請求項８】
入力表示装置として、ユーザ情報を取得するユーザ情報取得部、データを送受信する通信部、及びデータの記憶部を備え、
ユーザの保有情報を読取る読取部及び／又はユーザへの付与情報を記憶媒体に書込む書込部、及びデータを送受信する通信部を備えた読取書込装置に接続される前記入力表示装置の入力表示装置用プログラムであって、
コンピュータを、
前記ユーザ情報取得部で取得されたユーザ情報、及び前記読取書込装置の前記読取部で読取られたユーザの保有情報のうち、一方の情報を前記記憶部に記憶する際に、当該記憶部に他方の情報が記憶されている場合には、当該他方の情報を前記記憶部から削除した後に、前記一方の情報を前記記憶部に記憶するデータ記憶制御部と、
して機能させる入力表示装置用プログラム。
【発明の詳細な説明】
【技術分野】
【０００１】
本発明は、記憶媒体発行システム、記憶媒体発行装置、入力表示装置、読取書込装置、及び入力表示装置用プログラムに関する。
【背景技術】
【０００２】
従来、店舗端末において、記憶媒体としてのＩＣタグから各種情報を読取り、顧客が利用するクレジットカードの有効性を確認することにより、顧客にスムーズなサービスが提供できるようにしたシステムが知られている（特許文献１参照）。このシステムにおいて、ＩＣタグは、店舗端末（ＩＣタグ発行装置）において即時発行される。
【先行技術文献】
【特許文献】
【０００３】
【特許文献１】特開２０１３−７７２５５号公報
【発明の概要】
【発明が解決しようとする課題】
【０００４】
近年、ＩＣタグ発行装置おいては、登録に必要なデータを、携帯端末等により顧客が手軽に入力出来るようにすることが要望されている。しかし、顧客がデータを入力する入力部を、クレジットカードからクレジットカード情報を読取るカード読取部及びＩＣタグに発行情報を書込むＩＣリーダライタから分けてしまうと、個人情報のセキュリティ性を高めることが難しくなる。
【０００５】
本発明の目的は、個人情報のセキュリティ性を高めた記憶媒体発行システム、記憶媒体発行装置、入力表示装置、読取書込装置、及び入力表示装置用プログラムを提供することにある。
【課題を解決するための手段】
【０００６】
第１の発明は、ユーザ情報を取得するユーザ情報取得部（１３）、データを送受信する通信部（１１、１２）、及びデータの記憶部（１６）を備えた入力表示装置（１０）と、ユーザの保有情報を読取る読取部（２３）及び／又はユーザへの付与情報を記憶媒体に書込む書込部（２４）、及びデータを送受信する通信部（２２）を備えた読取書込装置（２０）と、前記入力表示装置又は前記読取書込装置との間が通信ネットワークを介して接続され、各種情報を記憶するサーバ（３０）と、を備えた記憶媒体発行システム（１）であって、前記入力表示装置は、前記ユーザ情報取得部で取得されたユーザ情報、及び前記読取書込装置の前記読取部で読取られたユーザの前記保有情報のうち、一方の情報を前記記憶部に記憶する際に、当該記憶部に他方の情報が記憶されている場合には、当該他方の情報を前記記憶部から削除した後に、前記一方の情報を前記記憶部に記憶するデータ記憶制御部を備えること、を特徴とする記憶媒体発行システムである。
【０００７】
第２の発明は、ユーザ情報を取得するユーザ情報取得部（１３）、データを送受信する通信部（１１、１２）、及びデータの記憶部（１６）を備えた入力表示部（１０）と、ユーザの保有情報を読取る読取部（２３）及び／又はユーザへの付与情報を記憶媒体に書込む書込部（２４）、データの記憶部（２５）、及びデータを送受信する通信部（２２）を備えた読取書込部（２０）と、を備えた記憶媒体発行装置（２）であって、前記入力表示部は、前記ユーザ情報取得部で取得されたユーザ情報、及び前記読取書込部の前記読取部で読取られたユーザの保有情報のうち、一方の情報を前記記憶部に記憶する際に、当該記憶部に他方の情報が記憶されている場合には、当該他方の情報を前記記憶部から削除した後に、前記一方の情報を前記記憶部に記憶するデータ記憶制御部を備えること、を特徴とする記憶媒体発行装置である。
【０００８】
第３の発明は、第２の発明の記憶媒体発行装置（２）において、前記読取書込部（２０）は、前記読取部（２３）で読取られたユーザの前記保有情報を前記入力表示部（１０）へ送信した後、前記記憶部（２５）に記憶した前記保有情報を削除するデータ記憶制御部を備えること、を特徴とする記憶媒体発行装置である。
【０００９】
第４の発明者は、請求項２又は３に記載の記憶媒体発行装置（２）において、前記入力表示部（１０）の前記データ記憶制御部は、ユーザの前記保有情報に関する判定結果を、通信ネットワークを介してサーバから受信した場合に、前記記憶部（１６）に記憶した前記保有情報を削除すること、を特徴とする記憶媒体発行装置である。
【００１０】
第５の発明は、ユーザの保有情報を読取る読取部（２３）及び／又はユーザへの付与情報を記憶媒体に書込む書込部（２４）、及びデータを送受信する通信部（２２）を備えた読取書込装置（２０）に接続可能な入力表示装置（１０）であって、ユーザ情報を取得するユーザ情報取得部（１３）と、データを送受信する通信部（１１、１２）と、データの記憶部（１６）と、前記ユーザ情報取得部で取得されたユーザ情報、及び前記読取書込装置の前記読取部で読取られたユーザの保有情報のうち、一方の情報を前記記憶部に記憶する際に、当該記憶部に他方の情報が記憶されている場合には、当該他方の情報を前記記憶部から削除した後に、前記一方の情報を前記記憶部に記憶するデータ記憶制御部と、を備えることを特徴とする入力表示装置である。
【００１１】
第６の発明は、第５の発明の入力表示装置（１０）において、前記データ記憶制御部は、ユーザの前記保有情報に関する判定結果を、通信ネットワークを介して接続されたサーバから受信した場合に、前記記憶部（１６）に記憶した前記カード情報を削除すること、を特徴とする入力表示装置である。
【００１２】
第７の発明は、ユーザ情報を取得するユーザ情報取得部（１３）、データを送受信する通信部（１１、１２）、及びデータの記憶部（１６）を備えた入力表示装置（１０）に接続可能な読取書込装置（２０）であって、ユーザの保有情報を読取る読取部（２３）と、ユーザへの付与情報を記憶媒体に書込む書込部（２４）と、データの記憶部（２５）と、データを送受信する通信部（２２）と、前記ユーザ情報取得部で取得されたユーザ情報を前記入力表示装置へ送信した後、前記記憶部に記憶した前記保有情報を削除するデータ記憶制御部と、を備えることを特徴とする読取書込装置である。
【００１３】
第８の発明は、入力表示装置として、ユーザ情報を取得するユーザ情報取得部、データを送受信する通信部、及びデータの記憶部を備え、ユーザの保有情報を読取る読取部及び／又はユーザへの付与情報を記憶媒体に書込む書込部、及びデータを送受信する通信部を備えた読取書込装置に接続される前記入力表示装置の入力表示装置用プログラム（１６１）であって、コンピュータ（１７）を、前記ユーザ情報取得部で取得されたユーザ情報、及び前記読取書込装置の前記読取部で読取られたユーザの保有情報のうち、一方の情報を前記記憶部に記憶する際に、当該記憶部に他方の情報が記憶されている場合には、当該他方の情報を前記記憶部から削除した後に、前記一方の情報を前記記憶部に記憶するデータ記憶制御部と、して機能させる入力表示装置用プログラムである。
【発明の効果】
【００１４】
本発明によれば、個人情報のセキュリティ性を高めた記憶媒体発行システム、記憶媒体発行装置、入力表示装置、読取書込装置、及び入力表示装置用プログラムを提供することができる。
【図面の簡単な説明】
【００１５】
【図１】実施形態におけるＩＣタグ発行システム１の構成を示す概念図である。
【図２】携帯端末１０の構成を示すブロック図である。
【図３】読取書込装置２０の構成を示すブロック図である。
【図４】携帯端末１０と読取書込装置２０とが通信可能状態にある場合の概念図である。
【図５】発行登録サーバ３０で管理されるデータベースの一例を示す説明図である。
【図６】携帯端末１０による発行サービスの処理を示すフローチャートである。
【図７】携帯端末１０による発行サービスの処理を示すフローチャートである。
【図８】携帯端末１０による発行サービスの処理を示すフローチャートである。
【図９】接続判定処理を示すフローチャートである。
【図１０】申込情報送信処理を示すフローチャートである。
【図１１】カード情報読取処理を示すフローチャートである。
【図１２】カード情報送信処理を示すフローチャートである。
【図１３】タグ情報読取・送信処理を示すフローチャートである。
【図１４】発行情報書込処理を示すフローチャートである。
【図１５】申込みキャンセル処理を示すフローチャートである。
【図１６】携帯端末１０のタッチパネル１３に表示される画面を示す概念図である。
【図１７】携帯端末１０のタッチパネル１３に表示される画面を示す概念図である。
【図１８】携帯端末１０のタッチパネル１３に表示される画面及びカード情報の読取りを示す概念図である。
【図１９】携帯端末１０のタッチパネル１３に表示される画面及びＩＣタグへの発行情報の書込みを示す概念図である。
【図２０】携帯端末１０のタッチパネル１３に表示される画面を示す概念図である。
【発明を実施するための形態】
【００１６】
以下、本発明に係る記憶媒体発行システム、記憶媒体発行装置、入力表示装置、読取書込装置、及び入力表示装置用プログラムを、ＩＣタグ発行システム、ＩＣタグ発行装置、携帯端末、読取書込装置、及び携帯端末用プログラムに適用した場合の実施形態について説明する。
【００１７】
図１は、本実施形態におけるＩＣタグ発行システム１の構成を示す概念図である。図２は、携帯端末１０の構成を示すブロック図である。図３は、読取書込装置２０の構成を示すブロック図である。図４は、携帯端末１０と読取書込装置２０とが通信可能状態にある場合の概念図である。図５は、発行登録サーバ３０で管理されるデータベースの一例を示す説明図である。
【００１８】
図１に示すように、ＩＣタグ発行システム１は、ＩＣタグ発行装置２と、発行登録サーバ３０と、審査サーバ４０を、を備える。このうち、ＩＣタグ発行装置２は、ＩＣタグ８０の発行サービスを提供する店舗（不図示）に設置される。
【００１９】
ユーザは、ＩＣタグ８０の発行サービスを申し込む場合に、店舗にクレジットカード７０を持参する。店舗側からは、ユーザに未発行のＩＣタグ８０が渡される。
未発行のＩＣタグ８０には、ＩＣタグの固有情報等がタグ情報としてメモリ（不図示）の書込み領域に記憶されている。なお、図１では、ＩＣタグ８０の形状を模式的に示しているが、記憶媒体としてのＩＣタグ８０の形状は、ボタンやカード等の形状であってもよいし、キーホルダーやフィギュア等を模した形状であってもよい。
【００２０】
ＩＣタグ発行装置２は、入力表示装置としての携帯端末１０と、読取書込装置２０と、を備える。
携帯端末１０は、ユーザがＩＣタグ８０の発行サービスを申し込む際に、必要なデータを入力するための通信端末装置であり、例えばスマートフォン、タブレット端末等である。携帯端末１０は、ユーザがＩＣタグ８０の発行サービスに申し込むと、店舗側から貸与される。すなわち、携帯端末１０は、店舗において、複数のユーザに共用される。
【００２１】
図２に示すように、携帯端末１０は、通信部としての近距離通信部１１と、通信部としてのネットワーク通信部１２と、ユーザ情報取得部としてのタッチパネル１３と、検出部としての加速度センサ１４及びＧＰＳ受信機１５と、記憶部１６と、制御部１７と、を備える。
【００２２】
近距離通信部１１は、近距離でデータ通信を行うための通信インターフェースである。近距離通信部１１は、携帯端末１０が読取書込装置２０の設置部２１に設置された状態で、読取書込装置２０の近距離通信部２２（後述）との間でデータ通信を行うことができる。近距離通信部１１と、読取書込装置２０の近距離通信部２２との間は、Ｂｌｕｅｔｏｏｔｈ（登録商標）通信、Ｗｉ−Ｆｉ（無線ＬＡＮ）通信等によりデータ通信が行われる。
【００２３】
ネットワーク通信部１２は、通信ネットワーク５０及び基地局６０（図１参照）を介して、発行登録サーバ３０等との間でデータ通信を行うための通信インターフェースである。近距離通信部１１は、基地局６０を介して通信ネットワーク５０に接続することができる。近距離通信部１１と基地局６０との間は、携帯電話用の無線通信方式によりデータ通信が行われる。
【００２４】
タッチパネル１３は、タッチスクリーン等の操作検出デバイス、及び液晶パネル等の表示デバイスの機能を備える。ユーザは、タッチパネル１３の入力部に指等で触れることにより、制御部１７に対してデータの入力や動作の指示を行うことができる。また、タッチパネル１３の表示部には、ユーザがユーザ情報としての申込情報を入力する際の受付画面等（後述）が表示される。
【００２５】
加速度センサ１４は、携帯端末１０が読取書込装置２０の設置部２１（後述）に設置されたときの傾斜角度を検出する。加速度センサ１４は、図１に示すように、携帯端末１０のＸ軸回りの傾斜角度を検出する。加速度センサ１４で検出された傾斜角度の検出値θ´は、傾斜角度検出信号として制御部１７に出力される。
【００２６】
ＧＰＳ受信機１５は、ＧＰＳ（Ｇｌｏｂａｌ  Ｐｏｓｉｔｉｏｎｉｎｇ  Ｓｙｓｔｅｍ）機能により、携帯端末１０の位置情報（緯度経度情報）を取得する。ＧＰＳ受信機１５で取得された位置情報の検出値Ｐ´は、位置検出信号として制御部１７に出力される。
【００２７】
後述する記憶部１６には、読取書込装置２０の設置される店舗の位置情報として、位置情報の規定値Ｐが記憶されている。従って、携帯端末１０が正規の店舗で使用されていれば、ＧＰＳ受信機１５において検出された位置情報の検出値Ｐ´は、位置情報の規定値Ｐを満たすことになる。なお、本実施形態において「満たす」とは、検出値と規定値とが一致、又は検出値が規定値を基準とする所定範囲に含まれることをいう。一方、携帯端末１０が正規の店舗で使用されていなければ、ＧＰＳ受信機１５で検出された位置情報の検出値Ｐ´は、位置情報の規定値Ｐを満たさないことになる。
【００２８】
記憶部１６は、制御部１７で実行されるオペレーティングシステム（ＯＳ）や各種のアプリケーションプログラム、データ等を記憶する。記憶部１６には、ユーザがタッチパネル１３から入力した申込情報、発行登録サーバ３０（後述）から受信した受付ＩＤ、読取書込装置２０のカード読取部２３（後述）で読取られたクレジットカード７０のクレジットカード情報（以下、「カード情報」ともいう）、読取書込装置２０のＩＣタグ読取書込部２４（後述）からＩＣタグ８０へ書込まれる発行情報等のデータが一時的に記憶される。また、記憶部１６には、傾斜角度の規定値θ、位置情報の規定値Ｐ等が記憶される。傾斜角度の規定値θは、読取書込装置２０に設けられた設置部２１の傾斜角度（後述）である。位置情報規定値Ｐは、読取書込装置２０の設置される店舗の位置情報である。
【００２９】
また、記憶部１６には、携帯端末用プログラム１６１が記憶される。携帯端末用プログラム１６１は、例えば、発行登録サーバ３０から配信されるアプリケーションソフトウェアである。携帯端末用プログラム１６１は、携帯端末１０の記憶部１６に予めダウンロードされる。
【００３０】
携帯端末用プログラム１６１は、コンピュータとしての制御部１７を、タッチパネル１３で取得されたユーザ情報としての申込情報、及び読取書込装置２０の読取部２３で読取られたユーザの保有情報としてのカード情報のうち、一方の情報を記憶部１６に記憶する際に、記憶部１６に他方の情報が記憶されている場合には、当該他方の情報を記憶部１６から削除した後に、前記一方の情報を記憶部１６に記憶するデータ記憶制御部と、して機能させるプログラムである。
【００３１】
制御部１７は、携帯端末１０の動作や機能を統括的に制御するＣＰＵ（中央処理装置）である。制御部１７は、記憶部１６からオペレーティングシステムやアプリケーションプログラムを読み出して実行することにより、各ハードウェアと協働して、後述する各種の機能を実現する。制御部１７は、データ記憶制御手段として動作するデータ記憶制御部の機能を備える。制御部１７により実行される処理については後述する。
【００３２】
読取書込装置２０は、携帯端末１０の設置台であり、クレジットカード７０からのカード情報の読取り、及びＩＣタグ８０への発行情報の書込みを行う機能を備える。読取書込装置２０は、図１に示すように、設置部２１を備える。また、読取書込装置２０は、図３に示すように、近距離通信部２２と、読取部としてのカード読取部２３と、書込部としてのＩＣタグ読取書込部２４と、記憶部２５と、データ記憶制御部としての制御部２６と、を備える。
【００３３】
設置部２１は、携帯端末１０を規定の位置且つ規定の傾斜角度で設置可能なスリットである。規定の位置とは、携帯端末１０を設置部２１に設置したときに、携帯端末１０と読取書込装置２０とが通信可能状態となる位置である。携帯端末１０を設置部２１に設置することにより、携帯端末１０と読取書込装置２０との間で通信が可能となる。設置部２１は、図１に示すように、読取書込装置２０の幅方向（Ｘ軸方向）に沿って形成されている。
【００３４】
また、規定の傾斜角度とは、傾斜角度の規定値（規定傾斜角度）θである。図４に示すように、設置部２１のスリット２１ａは、読取書込装置２０の上面Ｆに対して、傾斜角度がθとなるように形成されている。従って、設置部２１のスリット２１ａに携帯端末１０を挿入（設置）すると、携帯端末１０は、読取書込装置２０に対して傾斜角度の規定値θだけ傾いた状態で保持される。
【００３５】
携帯端末１０を設置部２１に設置すると、加速度センサ１４では、傾斜角度の検出値θ´が検出される。携帯端末１０が読取書込装置２０の設置部２１に正しく設置されていれば、加速度センサ１４で検出された傾斜角度の検出値θ´は、記憶部１６に記憶された傾斜角度の規定値θを満たすことになる。一方、携帯端末１０が設置部２１に設置されていない、又は、携帯端末１０が設置部２１に正しく設置されていなければ、加速度センサ１４で検出された傾斜角度の検出値θ´は、傾斜角度の規定値θを満たさないことになる。
【００３６】
近距離通信部２２は、近距離でデータ通信を行うための通信インターフェースである。近距離通信部２２は、図４に示すように、携帯端末１０が読取書込装置２０の設置部２１に設置された状態で、携帯端末１０の近距離通信部１１との間でデータ通信を行う。携帯端末１０の近距離通信部１１と、読取書込装置２０の近距離通信部２２との間は、Ｂｌｕｅｔｏｏｔｈ通信、Ｗｉ−Ｆｉ（無線ＬＡＮ）通信等によりデータ通信が行われる。
【００３７】
図４に示すように、携帯端末１０を読取書込装置２０の設置部２１に設置して、携帯端末１０と読取書込装置２０とが通信可能状態になると、携帯端末１０のアンテナ部１０ａと、読取書込装置２０のアンテナ部２０ａとは、互いの通信可能範囲（図中、破線）に配置された状態となる。
【００３８】
カード読取部２３は、クレジットカード７０の磁気ストライプ（不図示）から、クレジットカード番号、有効期限、カード会員氏名等の、ユーザの保有情報としてのカード情報を読取る磁気カードリーダである。ユーザは、カード読取部２３のスロット２３ａに沿ってクレジットカード７０をスライドさせることにより、クレジットカード７０の磁気ストライプに記録されたカード情報を読取らせることができる。カード読取部２３で読取られたカード情報は、記憶部２５に記憶されると共に、近距離通信部２２を介して携帯端末１０へ送信される。
【００３９】
ＩＣタグ読取書込部２４は、発行登録サーバ３０（後述）から送信された、ユーザへの付与情報としての発行情報を、ＩＣタグ８０に書込む、非接触ＩＣリーダライタである。ユーザは、発行情報書込処理（後述）において、未発行のＩＣタグ８０をＩＣタグ読取書込部２４にかざすことにより、ＩＣタグ８０に発行情報を書込ませることができる。
【００４０】
記憶部２５は、制御部２６で実行されるオペレーティングシステム（ＯＳ）や各種のアプリケーションプログラム、データ等を記憶する。記憶部２５には、カード読取部２３で読取られたクレジットカード７０のカード情報、カード読取部２３におけるクレジットカード７０の読取結果、発行登録サーバ３０から送信された発行情報、ＩＣタグ８０に記憶されたタグ情報等のデータが記憶される。
【００４１】
制御部２６は、読取書込装置２０の動作や機能を統括的に制御するＣＰＵ（中央処理装置）である。制御部２６は、記憶部２５からオペレーティングシステムやアプリケーションプログラムを読み出して実行することにより、各ハードウェアと協働して、後述する各種の機能を実現する。制御部２６により実行される処理については後述する。
【００４２】
発行登録サーバ３０は、ＩＣタグ８０の発行サービスを提供する企業等（以下、「発行サービス提供者」ともいう）により管理・運営されるサーバである。発行登録サーバ３０と携帯端末１０との間は、通信ネットワーク５０を介して接続される。
【００４３】
発行登録サーバ３０には、受付ＩＤ、携帯端末１０で取得されたユーザの申込情報、読取書込装置２０のカード読取部２３で読取られたクレジットカード７０のカード情報、読取書込装置２０のＩＣタグ読取書込部２４からＩＣタグ８０に書込まれる発行情報等が記憶される。
【００４４】
ここで、発行登録サーバ３０で管理されるデータベース（ＤＢ）について説明する。発行登録サーバ３０は、図５に示すように、会員ＤＢ３１と、カードＤＢ３２と、を備える。
会員ＤＢ３１は、発行サービスに申込みをしたユーザの個人情報、ＩＣタグ８０への発行履歴等が保存される。会員ＤＢ３１のデータ書込み領域には、受付ＩＤ毎に、姓、名、電話番号、登録タグ識別ＩＤ、発行完了フラグ、中断事由の項目が設定されている。
【００４５】
受付ＩＤは、ユーザ毎に割り当てられた固有の識別番号であり、発行サービス提供者により予め用意される。受付ＩＤは、初番の「１００００００１」から順に数値を１増させることにより割り振られた固有の番号である。なお、受付ＩＤは、携帯端末１０からユーザの申込情報を受信した際に、他のユーザと共通しない固有の番号を割り当てて発行するようにしてもよい。会員ＤＢ３１及び後述するカードＤＢ３２において、各項目に書込まれるデータは、受付ＩＤに関連付けて記憶される。
【００４６】
姓、名、電話番号は、携帯端末１０から入力されたユーザの申込情報である。登録タグ識別ＩＤは、ＩＣタグ８０毎に割り当てられた固有の識別番号である。
発行完了フラグは、ＩＣタグ８０への発行情報の書込みが完了したか否かを示す。本実施形態では、ＩＣタグ８０への発行情報の書込みが完了した場合には「ＴＲＵＥ」となり、申込をやめるボタンが押下された場合や、通信回線の状態によりデータ通信ができなくなった場合等には、「ＣＡＮＣＥＬ」となる。
【００４７】
中断事由は、申込み処理の途中で中断が生じた場合に書込まれるデータである。中断事由の項目は、発行完了フラグが「ＣＡＮＣＥＬ」の場合に書込まれる。本実施形態において、中断事由は、「Ｉ００Ｘ−ＹＹ−ＺＺ」で表される。このうち、「Ｉ００Ｘ」は、中断理由を表す。例えば、処理の途中で「申込をやめる」ボタン（後述）が押下された場合には「Ｉ００１」、通信回線の状態によりデータ通信ができなくなった場合には「Ｉ００２＊」、クレジットカード７０のカード情報が有効でない場合には「Ｉ００３」等である。また、「ＹＹ」の部分は、発行完了フラグが「ＣＡＮＣＥＬ」となった時点で処理がどこまで進んでいたかを表す。例えば、「ＹＹ」が「０１」であれば、申込み開始からカード情報読取処理の完了までの間、「０２」であればカード情報読取処理の完了からタグ情報読取・送信処理の完了までの間、「０３」であればタグ情報読取・送信処理完了から申込み完了前までの間を表す。更に、「ＺＺ」の部分は、カード情報の審査結果を表す。例えば、「ＺＺ」の部分が「０１」であれば審査結果がＯＫ、「０２」であれば審査結果ＮＧを表す。
【００４８】
例えば、中断事由「Ｉ００２−０３−０１」は、中断の理由が通信回線の状態によりデータ通信ができなくなったこと、中断がカード情報読取処理の完了からタグ情報読取・送信処理の完了までの間で発生したこと、カード情報の審査結果がＯＫであることを示している。
【００４９】
カードＤＢ３２は、発行サービスに申込みをしたユーザのクレジットカード７０のカード情報が保存される。カードＤＢ３２には、受付ＩＤ、カード情報（クレジットカード情報）の項目が設定されている。受付ＩＤは、ユーザ毎に割り当てられた固有の識別番号であり、会員ＤＢ３１の受付ＩＤと対応する。すなわち、カードＤＢ３２には、会員ＤＢ３１において、同じ受付ＩＤが割り当てられたユーザの所有するクレジットカード７０のカード情報が保存される。
【００５０】
本実施形態のＩＣタグ発行システム１では、ユーザのクレジットカード情報（カードＤＢ３２）を、ユーザの個人情報（会員ＤＢ３１）と区別して保存するため、セキュリティをより高めることができる。
【００５１】
審査サーバ４０は、クレジットカード７０を発行したカード会社により管理・運営されるサーバである。図１では、１つの審査サーバ４０を図示しているが、カード会社毎に審査サーバ４０が接続されていてもよい。その場合に、発行登録サーバ３０では、取得したカード情報に対応するカード会社の審査サーバ４０にカード情報を送信する。審査サーバ４０のデータベース（不図示）には、顧客のクレジットカード情報、個人情報、決済履歴等のデータが保存されている。
なお、審査サーバ４０において、データベースに保存されているデータの管理、及び通信部（不図示）による発行登録サーバ３０との間のデータの送受信は、制御部（不図示）により実行される。
【００５２】
次に、ＩＣタグ発行システム１において、ＩＣタグの発行サービスに申込みをしたユーザに、ＩＣタグ８０が発行されるまでの処理について説明する。
【００５３】
図６〜図８は、携帯端末１０による発行サービスの処理を示すフローチャートである。図６は、申込情報の入力処理を示すフローチャートである。図７は、カード情報の読取り処理を示すフローチャートである。図８は、ＩＣタグへの発行情報の書込み処理を示すフローチャートである。図９は、接続判定処理を示すフローチャートである。図１０は、申込情報送信処理を示すフローチャートである。図１１は、カード情報読取処理を示すフローチャートである。図１２は、カード情報送信処理を示すフローチャートである。図１３は、タグ情報読取・送信処理を示すフローチャートである。図１４は、発行情報書込処理を示すフローチャートである。図１５は、申込みキャンセル処理を示すフローチャートである。図１０〜図１５のフローチャートは、サブルーチンとして実行される処理を示す。また、図１６〜図２０は、携帯端末１０における画面の表示例、ＩＣタグ発行装置２の使用例を示す概念図である。
【００５４】
まず、申込情報の入力処理について、図６を参照しながら説明する。
図６に示すステップ（以下、「Ｓ」という）１１において、携帯端末１０の制御部１７は、タッチパネル１３に受付画面を表示させる。例えば、携帯端末１０制御部１７は、タッチパネル１３に、図１６（ａ）に示す受付画面Ａ１を表示させる。図１６（ａ）に示す「非接触決済タグ」は、本実施形態のＩＣタグ８０を指す。
【００５５】
Ｓ１２において、携帯端末１０の制御部１７は、タッチパネル１３にユーザがタッチしたか否かを判定する。Ｓ１２の判定がＹＥＳであれば、処理はＳ１３へ移行する。また、Ｓ１２の判定がＮＯであれば、処理はＳ１１へ戻る。
Ｓ１３において、携帯端末１０の制御部１７は、タッチパネル１３に申込入力画面を表示させる。ユーザが、図１６（ａ）に示すタッチパネル１３の受付画面Ａ１にタッチすることにより、図１６（ｂ）に示す申込入力画面Ａ２が表示される。
【００５６】
Ｓ１４において、携帯端末１０の制御部１７は、ユーザによる申込情報の入力があったか否かを判定する。Ｓ１４の判定がＹＥＳであれば、処理はＳ１５へ移行する。また、Ｓ１４の判定がＮＯであれば、処理はＳ１３へ戻る。
Ｓ１５において、携帯端末１０の制御部１７は、ユーザの入力した申込情報を、記憶部１６に一時記憶する。ユーザは、図１６（ｂ）に示す申込入力画面Ａ２に姓、名、電話番号を入力する。ユーザが入力欄に指を触れると、タッチパネル１３にキーボードの画面（不図示）が表示される。ユーザは、画面に表示されたキーボードのキーに指を触れることにより、図１６（ｃ）に示すように、申込入力画面Ａ２に文字や数字を入力することができる。
【００５７】
Ｓ１６において、携帯端末１０の制御部１７は、「発行へ」ボタン（図１６（ｃ）参照）が押下されたか否かを判定する。Ｓ１６の判定がＹＥＳであれば、処理はＳ１７へ移行する。また、Ｓ１６の判定がＮＯであれば、処理はＳ１６へ戻る。
【００５８】
携帯端末１０の制御部１７は、「発行へ」ボタンが押下されたときに、申込情報の内容に不備が無いことをチェックする。ここで、不備がある場合、例えば、電話番号の桁数に誤りがある場合には、「もう一度、電話番号入力してください」というメッセージ画面（不図示）をタッチパネル１３に表示させる。
【００５９】
また、携帯端末１０の制御部１７は、「発行へ」ボタンが押下されたときに、タッチパネル１３に、図１７（ａ）に示す「端末を台座に設置してください」という端末案内画面Ａ３を表示させる。端末案内画面Ａ３において、「端末」とは携帯端末１０であり、「台座」とは読取書込装置２０の設置部２１である。また、「非接続」のアイコンは、携帯端末１０が読取書込装置２０に設置されていないことを表している。
【００６０】
携帯端末１０のタッチパネル１３に端末案内画面Ａ３を表示することにより、携帯端末１０を読取書込装置２０の設置部２１に正しく設置することをユーザに促すことができる。携帯端末１０は、端末案内画面Ａ３を見たユーザにより読取書込装置２０に設置される。
Ｓ１７において、携帯端末１０の制御部１７は、カード情報の読取り処理（図７）へ移行し、本フローチャートの処理を終了する。なお、申込情報の入力処理中に、「申込をやめる」ボタンが押下された場合には、申込キャンセル処理（後述）が実行される。
【００６１】
次に、カード情報の読取り処理について、図７を参照しながら説明する。
図７に示すＳ２１において、携帯端末１０の制御部１７は、接続判定処理（後述）を実行して、携帯端末１０が読取書込装置２０に接続されているか否かを判定する。ユーザのクレジットカード７０からカード情報を読取る前に、携帯端末１０と読取書込装置２０との接続を確認するためである。
【００６２】
Ｓ２２において、携帯端末１０の制御部１７は、接続判定処理の判定結果がＯＫか否かを判定する。Ｓ２２の判定結果がＯＫ（ＹＥＳ）であれば、処理はＳ２３へ移行する。また、Ｓ２２の判定結果がＮＧ（ＮＯ）であれば、処理はＳ２９へ移行する。
Ｓ２３において、携帯端末１０の制御部１７は、申込情報送信処理（後述）を実行して、発行登録サーバ３０から受付ＩＤを取得する。取得された受付ＩＤは、携帯端末１０の記憶部１６に一時記憶される。
【００６３】
Ｓ２４において、携帯端末１０の制御部１７は、タッチパネル１３に、図１８（ａ）に示すカード読取画面Ａ４を表示させる。カード読取画面Ａ４において、「接続中」のアイコンは、携帯端末１０と読取書込装置２０とが通信中であること、言い換えると、携帯端末１０と読取書込装置２０とが通信可能状態であることを表している。
【００６４】
Ｓ２５では、カード情報読取処理（後述）が実行され、読取書込装置２０の制御部２６は、カード情報を取得する。図１８（ｂ）に示すように、ユーザがカード読取部２３に沿ってクレジットカード７０をスライドさせることにより、クレジットカード７０の磁気ストライプ（不図示）に記録されたカード情報が読取られる。読取書込装置２０で読取られたカード情報が携帯端末１０に送信されると、カード情報は読取書込装置２０の記憶部２５から削除される。なお、クレジットカード７０の読取りエラーが発生した場合に、読取書込装置２０又は携帯端末１０において、警告音を発生するようにしてもよい。
【００６５】
Ｓ２６では、カード情報送信処理（後述）が実行され、携帯端末１０の制御部１７は、審査サーバ４０による審査の判定結果、すなわちユーザのカード情報に関する判定結果を取得する。携帯端末１０が判定結果を取得すると、カード情報は携帯端末１０の記憶部１６から削除される。
【００６６】
Ｓ２７において、携帯端末１０の制御部１７は、審査サーバ４０による審査の判定結果に基づいて、発行サービスへの申込みが可能か否かを判定する。Ｓ２７の判定がＹＥＳであれば、処理はＳ２８へ移行する。また、Ｓ２７の判定がＮＯであれば、処理はＳ３０へ移行する。
【００６７】
Ｓ２８において、携帯端末１０の制御部１７は、タグ情報の書込み処理（図８）へ移行し、本フローチャートの処理を終了する。
一方、Ｓ２９（Ｓ２２：ＮＯ）において、携帯端末１０の制御部１７は、タッチパネル１３に、図１７（ａ）に示す接続案内画面Ａ３を表示させる。
また、Ｓ３０（Ｓ２７：ＮＯ）において、携帯端末１０の制御部１７は、タッチパネル１３に、図１７（ｂ）に示す申込不可画面Ａ５を表示させる。
なお、カード情報の読取り処理中に、「申込をやめる」ボタンが押下された場合には、申込キャンセル処理（後述）が実行される。
【００６８】
次に、発行情報の書込み処理について、図８を参照しながら説明する。
図８に示すＳ４１において、携帯端末１０の制御部１７は、接続判定処理（後述）を実行して、携帯端末１０が読取書込装置２０に接続されているか否かを判定する。ユーザのＩＣタグ８０に発行情報を書込む前に、携帯端末１０と読取書込装置２０との接続を確認するためである。Ｓ４１で実行される接続判定処理は、図７のＳ２１で実行される接続判定処理と同じである。
【００６９】
Ｓ４２において、携帯端末１０の制御部１７は、接続判定処理の判定結果がＯＫか否かを判定する。Ｓ４２の判定がＹＥＳであれば、処理はＳ４３へ移行する。また、Ｓの判定がＮＯであれば、処理はＳ４９へ移行する。
【００７０】
Ｓ４３において、携帯端末１０の制御部１７は、タッチパネル１３に、図１９（ａ）に示すタグ発行画面Ａ６を表示させる。ユーザがＩＣタグ８０を読取書込装置２０のＩＣタグ読取書込部２４にかざすことにより、ＩＣタグ８０からタグ情報が読取られる。
Ｓ４４では、タグ情報読取・送信処理（後述）が実行され、携帯端末１０の制御部１７は、発行登録サーバ３０から発行情報を取得する。
【００７１】
Ｓ４５では、発行情報書込処理（後述）が実行され、ＩＣタグ８０に発行情報が書込まれる。図１９（ｂ）に示すように、ユーザがＩＣタグ８０を読取書込装置２０のＩＣタグ読取書込部２４にかざすことにより、ＩＣタグ８０に発行情報が書込まれる。ＩＣタグ８０へ発行情報の書込みをしている間、携帯端末１０の制御部１７は、図１９（ｂ）に示すように、タッチパネル１３に発行していることを知らせるメッセージ画面Ａ７を表示させる。
【００７２】
Ｓ４６において、携帯端末１０の制御部１７は、タッチパネル１３に、図１９（ｃ）示す発行完了画面Ａ８を表示させる。
Ｓ４７において、携帯端末１０の制御部１７は、図１９（ｃ）に示す「確認」ボタンが押下されたか否かを判定する。Ｓ４７の判定がＹＥＳであれば、処理はＳ４８へ移行する。また、Ｓ４７の判定がＮＯであれば、処理はＳ４６へ戻る。
Ｓ４８において、携帯端末１０の制御部１７は、受付ＩＤを記憶部１６から削除して、処理を終了する。
【００７３】
一方、Ｓ４９（Ｓ４２：ＮＯ）において、携帯端末１０の制御部１７は、タッチパネル１３に、図１７（ａ）に示す接続案内画面Ａ３を表示させる。
なお、タッチパネル１３にタグ発行画面Ａ６を表示させている間に「申込をやめる」ボタンが押下された場合には、申込キャンセル処理（後述）が実行される。
【００７４】
次に、図７のＳ２１で実行される接続判定処理について、図９を参照しながら説明する。
Ｓ１０１において、携帯端末１０の制御部１７は、携帯端末１０と読取書込装置２０とが通信可能状態か否かを判定する。携帯端末１０の制御部１７は、近距離通信部１１と読取書込装置２０の近距離通信部２２との間で、接続判定用のダミーデータの送受信を行うことにより、携帯端末１０と読取書込装置２０とが通信可能状態か否かを判定する。
【００７５】
なお、ダミーデータを送受信する代わりに、他の手法により通信可能状態か否かを判定してもよい。例えば、読取書込装置２０との間の通信距離により通信可能状態か否かを判定してもよいし、読取書込装置２０との間の電波強度により通信可能状態か否かを判定してもよい。また、これらの手法を適宜に組み合わせて、通信可能状態か否かを判定してもよい。
【００７６】
携帯端末１０の制御部１７は、ダミーデータを送受信することにより、読取書込装置２０と通信可能状態か否かを判定するが、更に、読取書込装置２０との間でデータの送受信が良好に行えることが確認された場合に、携帯端末１０と読取書込装置２０とが通信可能状態であると判定する。また、携帯端末１０の制御部１７は、読取書込装置２０と通信を確保する際に、読取書込装置２０に設定された固有ＩＤを確認した上で、データを送受信する。
【００７７】
Ｓ１０１の判定がＹＥＳであれば、処理はＳ１０２へ移行する。また、Ｓ１０１の判定がＮＯであれば、処理はＳ１０９へ移行する。
Ｓ１０２において、携帯端末１０の制御部１７は、加速度センサ１４から傾斜角度検出信号（傾斜角度の検出値θ´）を取得する。
Ｓ１０３において、携帯端末１０の制御部１７は、記憶部１６から傾斜角度の規定値θを取得する。
【００７８】
Ｓ１０４において、携帯端末１０の制御部１７は、傾斜角度の検出値θ´が規定値θを満たすか否かを判定する。Ｓ１０４の判定がＹＥＳの場合、処理はＳ１０５へ移行する。また、Ｓ１０４の判定がＮＯの場合、処理はＳ１０９へ移行する。
Ｓ１０５において、携帯端末１０の制御部１７は、ＧＰＳ受信機１５から位置検出信号（位置情報の検出値Ｐ´）を取得する。
【００７９】
Ｓ１０６において、携帯端末１０の制御部１７は、記憶部１６から位置情報の規定値Ｐを取得する。
Ｓ１０７において、携帯端末１０の制御部１７は、位置情報の検出値Ｐ´が規定値Ｐを満たすか否かを判定する。Ｓ１０７の判定がＹＥＳの場合、処理はＳ１０８へ移行する。また、Ｓ１０７の判定がＮＯの場合、処理はＳ１０９へ移行する。
【００８０】
Ｓ１０８において、携帯端末１０の制御部１７は、携帯端末１０が読取書込装置２０に接続されていると判定する。携帯端末１０の制御部１７は、判定結果（ＯＫ）を記憶部１６に記憶して処理を終了する。なお、携帯端末１０が読取書込装置２０に接続されているとは、携帯端末１０が正規の店舗において使用され、且つ携帯端末１０が読取書込装置２０の設置部２１に正しく設置されている状態をいう。
【００８１】
一方、Ｓ１０９において、携帯端末１０の制御部１７は、携帯端末１０が読取書込装置２０に接続されていないと判定する。携帯端末１０の制御部１７は、判定結果（ＮＧ）を記憶部１６に記憶して処理を終了する。なお、携帯端末１０が読取書込装置２０に接続されていないとは、携帯端末１０が正規の店舗において使用されていない、又は携帯端末１０が読取書込装置２０の設置部２１に正しく設置されていない、或いはその両方の状態をいう。
【００８２】
次に、図７のＳ２３で実行される申込情報送信処理について、図１０を参照しながら説明する。
Ｓ２０１において、携帯端末１０の制御部１７は、ユーザの申込情報を、発行登録サーバ３０へ送信する。
Ｓ３０１において、発行登録サーバ３０の制御部（不図示）は、携帯端末１０から送信されたユーザの申込情報を受信する。
Ｓ３０２において、発行登録サーバ３０の制御部は、受信した申込情報を会員ＤＢ３１の新規受付領域（データ書込み領域）へ保存する。
【００８３】
Ｓ３０３において、発行登録サーバ３０の制御部は、会員ＤＢ３１から、申込情報を保存したデータ書込み領域に対応する受付ＩＤを取得する。
Ｓ３０４において、発行登録サーバ３０の制御部は、携帯端末１０に受付ＩＤを送信して、処理を終了する。
Ｓ２０２において、携帯端末１０の制御部１７は、発行登録サーバ３０から受付ＩＤを受信して、記憶部１６に一時記憶する。
【００８４】
Ｓ２０３において、携帯端末１０の制御部１７は、ユーザの申込情報を記憶部１６から削除して、申込情報送信処理を終了する。このように、携帯端末１０では、ユーザの受付ＩＤを取得した時点で、ユーザの個人情報である申込情報が記憶部１６から削除される。従って、図７のＳ１１０におけるカード情報読取処理（後述）では、携帯端末１０にユーザの申込情報が残っていない状態でカード情報の読取りが行われる。
【００８５】
次に、図７のＳ２５で実行されるカード情報読取処理について、図１１を参照しながら説明する。
Ｓ５０１において、携帯端末１０の制御部１７は、カード情報の読取処理開始指示（読取書込許可）を読取書込装置２０へ送信する。
Ｓ６０１において、読取書込装置２０の制御部２６は、携帯端末１０から送信された読取処理開始指示を受信する。
Ｓ６０２において、読取書込装置２０の制御部２６は、読取処理を開始して、カード情報を取得する。
Ｓ６０３において、読取書込装置２０の制御部２６は、読取結果及びカード情報を記憶部２５に一時記憶する。
【００８６】
Ｓ６０４において、読取書込装置２０の制御部２６は、読取結果及びカード情報を携帯端末１０へ送信する。
Ｓ６０５において、読取書込装置２０の制御部２６は、カード情報を記憶部２５から削除して、処理を終了する。このように、読取書込装置２０では、読取結果及びカード情報を携帯端末１０へ送信した後、ユーザの個人情報であるカード情報が記憶部２５から削除される。
【００８７】
Ｓ５０２において、携帯端末１０の制御部１７は、読取書込装置２０から送信された読取結果及びカード情報を受信する。なお、携帯端末１０の制御部１７は、Ｓ５０２において、読取書込装置２０カード情報を受信できなかった場合には、タッチパネル１３に、図２０（ａ）に示すエラー画面Ａ９を表示させる。
Ｓ５０３において、携帯端末１０の制御部１７は、受信した読取結果に基づいて、カード情報の読取りに成功したか否かを判定する。例えば、カード情報に含まれるカード番号の桁数を照合することにより、カード情報の読取りに成功したか否かを判定することができる。Ｓ５０３の判定がＹＥＳの場合、処理はＳ５０４へ移行する。また、Ｓ５０３の判定がＮＯの場合、処理を終了する。なお、Ｓ５０３の判定がＮＯの場合に、Ｓ５０１に戻り、読取書込装置２０へカード情報の読取処理開始指示を送信してもよい。
【００８８】
Ｓ５０４において、携帯端末１０の制御部１７は、受信したカード情報を記憶部１６に一時記憶して、処理を終了する。なお、先に実行された申込情報送信処理（図７：Ｓ２３参照）において、ユーザの個人情報である申込情報は、記憶部１６から削除されている。そのため、Ｓ５０４において、ユーザの申込情報とカード情報とが同時に携帯端末１０の記憶部１６に保持されることはない。
【００８９】
次に、図７のＳ２６で実行されるカード情報送信処理について、図１２を参照しながら説明する。
Ｓ７０１において、携帯端末１０の制御部１７は、受付ＩＤ及びカード情報を関連付けて、発行登録サーバ３０へ送信する。
Ｓ８０１において、発行登録サーバ３０の制御部は、携帯端末１０から送信された受付ＩＤ及びカード情報を受信して、所定の記憶領域に一時記憶する。
【００９０】
Ｓ８０２において、発行登録サーバ３０の制御部は、カード情報を審査サーバ４０へ送信する。
Ｓ９０１において、審査サーバ４０の制御部は、発行登録サーバから送信されたカード情報を受信して、所定の記憶領域に一時記憶する。
Ｓ９０２において、審査サーバ４０の制御部は、カード情報の判定（審査）を行う。
【００９１】
Ｓ９０３において、審査サーバ４０の制御部は、判定結果を発行登録サーバ３０へ送信して、処理を終了する。
Ｓ８０３において、発行登録サーバ３０の制御部は、審査サーバ４０から送信された判定結果を受信して、所定の記憶領域に一時記憶する。
【００９２】
Ｓ８０４において、発行登録サーバ３０の制御部は、判定結果（ＯＫ／ＮＧ）に基づいて、ユーザの発行サービスへの申込みが可能か否かを判定する。Ｓ８０４の判定がＹＥＳ（判定結果：ＯＫ）であれば、処理はＳ８０５へ移行する。また、Ｓ８０４の判定がＮＯ（判定結果：ＮＧ）であれば、処理はＳ８０６へ移行する。
【００９３】
Ｓ８０５において、発行登録サーバ３０の制御部は、Ｓ８０１で携帯端末１０受信した受付ＩＤ及びカード情報を、カードＤＢ３２（図５参照）に保存する。
Ｓ８０６において、発行登録サーバ３０の制御部は、審査サーバ４０から受信した判定結果を携帯端末１０へ送信して、処理を終了する。
【００９４】
Ｓ７０２において、携帯端末１０の制御部１７は、発行登録サーバ３０から送信された判定結果を受信して、記憶部１６に一時記憶する。
Ｓ７０３において、携帯端末１０の制御部１７は、カード情報を記憶部１６から削除して、処理を終了する。このように、携帯端末１０では、発行登録サーバ３０から判定結果を受信した後、カード情報が記憶部１６から削除される。
【００９５】
次に、図８のＳ４４で実行されるタグ情報読取・送信処理について、図１３を参照しながら説明する。
Ｓ１００１において、携帯端末１０の制御部１７は、タグ情報の読取処理開始指示を読取書込装置２０へ送信する。
Ｓ１１０１において、読取書込装置２０の制御部２６は、携帯端末１０から送信された読取処理開始指示を受信する。
【００９６】
Ｓ１１０２において、読取書込装置２０の制御部２６は、読取処理を開始して、タグ情報を取得する。
Ｓ１１０３において、読取書込装置２０の制御部２６は、読取結果及びタグ情報を記憶部２５に一時記憶する。
Ｓ１１０４において、読取書込装置２０の制御部２６は、読取結果及びタグ情報を携帯端末１０へ送信する。
【００９７】
Ｓ１１０５において、読取書込装置２０の制御部２６は、タグ情報を記憶部２５から削除して、処理を終了する。このように、読取書込装置２０では、読取結果及びタグ情報を携帯端末１０へ送信した後、タグ情報が記憶部２５から削除される。
【００９８】
Ｓ１００２において、携帯端末１０の制御部１７は、読取書込装置２０から送信された読取結果及びタグ情報を受信して、記憶部１６に一時記憶する。
Ｓ１００３において、携帯端末１０の制御部１７は、受付ＩＤ及びタグ情報を発行登録サーバ３０へ送信する。
Ｓ１２０１において、発行登録サーバ３０の制御部は、携帯端末１０から送信された受付ＩＤ及びタグ情報を受信して、所定の記憶領域に一時記憶する。
【００９９】
Ｓ１２０２において、発行登録サーバ３０の制御部は、受信した受付ＩＤがカードＤＢ３２に登録済みか否かを判定する。なお、Ｓ１２０２において、発行登録サーバ３０の制御部は、タグ情報が登録可能か否かについても判定する。Ｓ１２０２の判定がＹＥＳの場合、処理はＳ１２０４へ移行する。また、Ｓ１２０２の判定がＮＯの場合、処理はＳ１２０３へ移行する。
【０１００】
Ｓ１２０３において、発行登録サーバ３０の制御部は、受付ＩＤに対応する会員ＤＢ３１の登録タグ識別ＩＤの項目にタグ情報を保存（登録）する。
Ｓ１２０４において、発行登録サーバ３０の制御部は、ＩＣタグ８０の発行に必要な発行情報を取得する。発行情報とは、登録を許可することを示す情報、受付ＩＤ等である。発行情報には、発行登録サーバ３０に保存されているユーザのデータ（申込情報、カード情報等）を暗号化した際の復号キーが含まれていてもよい。
【０１０１】
Ｓ１２０５において、発行登録サーバ３０の制御部は、発行情報を携帯端末１０へ送信して、処理を終了する。
Ｓ１００４において、携帯端末１０の制御部１７は、発行登録サーバ３０から送信された発行情報を受信すると共に、記憶部１６へ記憶して、処理を終了する。なお、携帯端末１０の制御部１７は、発行登録サーバ３０から発行情報を受信できなかった場合には、タッチパネル１３に、図２０（ｂ）に示すエラー画面Ａ１０を表示させる。
【０１０２】
次に、図８のＳ４５で実行される発行情報書込処理について、図１４を参照しながら説明する。
Ｓ１３０１において、携帯端末１０の制御部１７は、発行情報及び発行情報書込処理開始指示を読取書込装置２０へ送信する。
【０１０３】
Ｓ１４０１において、読取書込装置２０の制御部２６は、携帯端末１０から送信された発行情報及び発行情報書込処理開始指示を受信して、発行情報を記憶部２５に一時記憶する。
Ｓ１４０２において、読取書込装置２０の制御部２６は、ＩＣタグ読取書込部２４によりＩＣタグ８０へ発行情報を書込ませる。
【０１０４】
Ｓ１４０３において、読取書込装置２０の制御部２６は、書込結果を携帯端末１０へ送信する。
Ｓ１４０４において、読取書込装置２０の制御部２６は、発行情報を記憶部２５から削除する。
【０１０５】
Ｓ１３０２において、携帯端末１０の制御部１７は、読取書込装置２０から送信された書込結果を受信して、記憶部１６に一時記憶する。
Ｓ１３０３において、携帯端末１０の制御部１７は、受付ＩＤ及び書込結果を発行登録サーバ３０へ送信する。
Ｓ１５０１において、発行登録サーバ３０の制御部は、携帯端末１０から送信された受付ＩＤ及び書込結果を受信して、所定の記憶領域へ一時記憶する。
【０１０６】
Ｓ１５０２において、発行登録サーバ３０の制御部は、受信した受付ＩＤに対応する会員ＤＢ３１の発行完了フラグを「ＴＲＵＥ」に設定する。
Ｓ１５０３において、発行登録サーバ３０の制御部は、会員ＤＢ３１への登録が完了したことを登録結果として携帯端末１０へ送信する。
Ｓ１３０４において、携帯端末１０の制御部１７は、読取書込装置２０から送信された登録結果を受信して、記憶部１６に一時記憶する。
【０１０７】
Ｓ１３０５において、携帯端末１０の制御部１７は、発行情報を記憶部１６から削除して、処理を終了する。このように、ＩＣタグ８０への発行情報の書込みが完了すると、携帯端末１０の記憶部１６には、ユーザの申込情報、カード情報、発行情報等の情報がすべて削除された状態となる。
【０１０８】
次に、申込キャンセル処理について、図１５を参照しながら説明する。申込キャンセル処理は、上述した発行サービスの処理中に、「申込をやめる」ボタンが押下された場合等において実行される。
【０１０９】
Ｓ１６０１において、携帯端末１０の制御部１７は、申込みを中断する受付ＩＤ及び中断事由を、発行登録サーバ３０へ送信する。
Ｓ１７０１において、発行登録サーバ３０の制御部は、携帯端末１０から送信された受付ＩＤを受信して、所定の記憶領域へ一時記憶する。
【０１１０】
Ｓ１７０２において、発行登録サーバ３０の制御部は、会員ＤＢ３１において、受信した受付ＩＤに対応する発行完了フラグを「ＣＡＮＣＥＬ」に設定する。また、発行登録サーバ３０の制御部は、会員ＤＢ３１において、受信した受付ＩＤに対応する中断事由を記録する。
Ｓ１７０３において、発行登録サーバ３０の制御部は、発行完了フラグを「ＣＡＮＣＥＬ」に設定したことを登録結果として携帯端末１０へ送信する。
Ｓ１６０２において、携帯端末１０の制御部１７は、発行登録サーバ３０から送信された登録結果を受信して、記憶部１６へ一時記憶する。
【０１１１】
Ｓ１６０３において、携帯端末１０の制御部１７は、受付ＩＤを記憶部１６から削除して、処理を終了する。なお、図８に示すＳ１３２の申込キャンセル処理では、受付ＩＤのほか、発行情報、タグ情報等が記憶部１６から削除される。
【０１１２】
上述した本実施形態のＩＣタグ発行システム１によれば、例えば、以下のような効果を奏する。
（１）ＩＣタグ発行システム１は、携帯端末１０の記憶部１６に記憶したユーザの申込情報を削除した後に、携帯端末１０の記憶部１６にカード情報を記憶する。これによれば、ユーザの個人情報である申込情報とカード情報とが同時に携帯端末１０に保持されることがないため、個人情報のセキュリティ性をより高めることができる。
【０１１３】
（２）ＩＣタグ発行システム１は、読取書込装置２０が読取結果及びカード情報を携帯端末１０へ送信した後、読取書込装置２０において、カード情報が記憶部２５から削除される。これによれば、カード情報の読取り後に、ユーザの個人情報であるカード情報が、読取書込装置２０から他の携帯端末等へ送信されることがないため、カード情報の流出を防ぐことができる。
【０１１４】
（３）ＩＣタグ発行システム１は、携帯端末１０が発行登録サーバ３０から判定結果を受信した後、携帯端末１０において、カード情報が記憶部１６から削除される。これによれば、携帯端末１０にユーザの個人情報であるカード情報が残らないため、判定結果を受信した後に携帯端末１０が他者に持ち出されても、カード情報の流出を防ぐことができる。
【０１１５】
（４）ＩＣタグ発行システム１は、携帯端末１０が読取書込装置２０と通信可能状態にあり、且つ携帯端末１０が読取書込装置２０の設置部２１に設置されている場合に、携帯端末１０と読取書込装置２０との間、及び携帯端末１０と発行登録サーバ３０との間でデータの送受信が許可される。そのため、ＩＣタグ発行システム１では、携帯端末１０と各装置間において、セキュリティ性の高い安全なデータの送受信を行うことができる。
【０１１６】
（５）ＩＣタグ発行システム１は、携帯端末１０が読取書込装置２０と通信可能状態にあり、且つ携帯端末１０が読取書込装置２０の設置部２１に設置されている場合に、カード情報の読取りや、発行情報の書込みを行う。これによれば、例えばカード情報や発行情報の送信中に通信が途絶えて、携帯端末１０又は読取書込装置２０にカード情報や発行情報が残った状態となる可能性が少なくなるため、セキュリティ性をより高めることができる。
【０１１７】
（６）ＩＣタグ発行システム１は、携帯端末１０の加速度センサ１４で検出される傾斜角度に基づいて、携帯端末１０が読取書込装置２０の設置部２１に正しく設置されていることを判定するため、携帯端末１０と読取書込装置２０との接続判定処理を正確に行うことができる。
【０１１８】
（７）ＩＣタグ発行システム１は、携帯端末１０のＧＰＳ受信機１５で検出される位置情報に基づいて、携帯端末１０が正規の店舗で使用されていることを判定するため、セキュリティ性をより高めることができる。
【０１１９】
（８）ＩＣタグ発行システム１は、読取書込装置２０とは別体の携帯端末１０に記憶された携帯端末用プログラム１６１により接続判定処理を実行するため、携帯端末１０と読取書込装置２０を一体型とした場合に比べて、利便性に優れている。
【０１２０】
（９）ＩＣタグ発行システム１は、読取書込装置２０の設置部２１が所定の傾斜角度で形成されている。従って、携帯端末１０を設置部２１に設置した場合に、携帯端末１０のタッチパネル１３がユーザに対して傾斜した状態となるため、タッチパネル１３の視認性や操作性を高めることができる。
【０１２１】
以上、本発明の実施形態について説明したが、本発明は上述した実施形態に限定されるものではない。また、実施形態に記載した効果は、本発明から生じる最も好適な効果を列挙したに過ぎず、実施形態に記載したものに限定されない。なお、上述した実施形態及び後述する変形形態は、適宜に組み合わせて用いることもできるが、詳細な説明は省略する。
【０１２２】
（変形形態）
（１）実施形態では、読取書込装置２０の設置部２１に設置された携帯端末１０を検出する検出部を加速度センサ１４により構成した例について説明した。これに限らず、検出部を重量センサにより構成してもよい。この場合には、重量センサを設置部２１の底面に配置しておき、読取書込装置２０において、重量の検出値を携帯端末１０に送信する。携帯端末１０の制御部１７は、重量の検出値が予め設定された重量の規定値を満たす場合に、携帯端末１０が読取書込装置２０の設置部２１に正しく設置されたと判定する。
【０１２３】
また、検出部をカメラにより構成してもよい。この場合には、カメラを設置部２１の近傍に配置しておき、読取書込装置２０において、カメラで撮影された画像を携帯端末１０に送信する。携帯端末１０の制御部１７は、カメラで撮影された画像と予め撮影された画像とが一致する場合に、携帯端末１０が読取書込装置２０の設置部２１に正しく設置されたと判定する。なお、予め設定された画像とは、例えば、携帯端末１０を読取書込装置２０の設置部２１に正しく設置した状態で撮影した画像である。このように、ＩＣタグ発行システム１において、検出部は、携帯端末１０だけでなく、読取書込装置２０に設けられていてもよいし、携帯端末１０及び読取書込装置２０の両方に設けられていてもよい。
【０１２４】
（２）実施形態では、ＩＣタグ発行装置２における携帯端末１０が、読取書込装置２０に対して着脱自在となるように構成された例を説明した。これに限らず、携帯端末１０と読取書込装置２０とは、一体に構成されていてもよい。その場合に、携帯端末１０及び読取書込装置２０は、それぞれＩＣタグ発行装置２において、入力表示部（携帯端末１０）及び読取書込部（読取書込装置２０）として機能する。
（３）実施形態では、発行登録サーバ３０において、会員ＤＢ３１及びカードＤＢ３２を管理する構成について説明した。これに限らず、審査サーバ４０において、会員ＤＢ３１及びカードＤＢ３２を管理する構成としてもよい。また、発行登録サーバ３０において、会員ＤＢ３１を管理し、審査サーバ４０において、カードＤＢ３２を管理する構成としてもよい。
【０１２５】
（４）実施形態では、発行登録サーバ３０と審査サーバ４０とがそれぞれ個別に管理される例について説明した。これに限らず、発行登録サーバ３０と審査サーバ４０とが、１つのサーバで一体的に管理される構成としてもよい。
【０１２６】
（５）実施形態では、発行登録サーバ３０と携帯端末１０との間が通信ネットワーク５０を介して接続される例について説明した。これに限らず、発行登録サーバ３０と読取書込装置２０との間が通信ネットワーク５０を介して接続される構成としてもよい。
【０１２７】
（６）実施形態では、携帯端末１０の位置情報を取得する手段としてＧＰＳ受信機１５を用いた例について説明した。これに限らず、店舗に設置されたＷｉ−Ｆｉ通信の無線ＬＡＮアクセスポイントにおける電波強度に基づいて、位置を特定するように構成してもよい。
【０１２８】
（７）実施形態では、携帯端末１０において、携帯電話用の無線通信方式により通信ネットワーク５０に接続する例について説明した。これに限らず、店舗に設置されたＷｉ−Ｆｉ通信の無線ＬＡＮアクセスポイントから通信ネットワーク５０に接続する構成としてもよい。また、携帯端末１０にＵＳＢ型の無線ＬＡＮアダプタを装着し、店舗に設置されたＷｉ−Ｆｉ通信の無線ＬＡＮアクセスポイントから通信ネットワーク５０に接続する構成としてもよい。
【０１２９】
（８）実施形態では、読取書込装置２０において、カード読取部２３とＩＣタグ読取書込部２４とが一体に設けられた例について説明した。これに限らず、カード読取部２３とＩＣタグ読取書込部２４とを物理的に分けた構成としてもよい。
【０１３０】
（９）実施形態では、携帯端末１０の長手方向（高さ方向）が天地方向となるように読取書込装置２０に設置する例について説明した。これに限らず、携帯端末１０の短手方向（幅方向）が天地方向となるように読取書込装置２０に設置する構成としてもよい。このような構成とした場合には、タッチパネル１３が横向きとなるため、ユーザによる申込情報等の入力が容易となる。
【０１３１】
（１０）実施形態において、携帯端末１０のタッチパネル１３に「やり直す」ボタンを表示させ、このボタンが押下された場合に、１つ前の処理に戻るようにしてもよい。
【符号の説明】
【０１３２】
１  ＩＣタグ発行システム
１０  携帯端末
１１  近距離通信部
１２  ネットワーク通信部
１３  タッチパネル
１４  加速度センサ
１５  ＧＰＳ受信機
１６  記憶部
１７  制御部
２０  読取書込装置
２１  設置部
２２  近距離通信部
２３  カード読取部
２４  ＩＣタグ読取書込部
２５  記憶部
３０  発行登録サーバ
４０  審査サーバ
【図１】
2015114738.tif 000003
【図２】
2015114738.tif 000004
【図３】
2015114738.tif 000005
【図４】
2015114738.tif 000006
【図５】
2015114738.tif 000007
【図６】
2015114738.tif 000008
【図７】
2015114738.tif 000009
【図８】
2015114738.tif 000010
【図９】
2015114738.tif 000011
【図１０】
2015114738.tif 000012
【図１１】
2015114738.tif 000013
【図１２】
2015114738.tif 000014
【図１３】
2015114738.tif 000015
【図１４】
2015114738.tif 000016
【図１５】
2015114738.tif 000017
【図１６】
2015114738.tif 000018
【図１７】
2015114738.tif 000019
【図１８】
2015114738.tif 000020
【図１９】
2015114738.tif 000021
【図２０】
2015114738.tif 000022